(57)【要約】    【課題】  据付けスペースが少なく、搬入、設置、保守性に優れ、而も品質の信頼性を向上する電子機器の格納架を提供する。    【解決手段】  配電盤６を有し、該配電盤を介して内部ケーブル１０と外部ケーブル１１，１２とを接続可能な電子機器の格納架１に於いて、該格納架の上面にケーブル通し孔が設けられ、該ケーブル通し孔を覆う様にボックス本体１７が取付け可能であり、該ボックス本体は底面と前面が開放され、前記配電盤は前記ケーブル通し孔に掛渡って前記格納架の上面に取付け可能であると共に前記ボックス本体の前面に取付け可能である。    【選択図】          図２
2006237536.tif 000002
【特許請求の範囲】
【請求項１】
配電盤を有し、該配電盤を介して内部ケーブルと外部ケーブルとを接続可能な電子機器の格納架に於いて、該格納架の上面にケーブル通し孔が設けられ、該ケーブル通し孔を覆う様にボックス本体が取付け可能であり、該ボックス本体は底面と前面が開放され、前記配電盤は前記ケーブル通し孔に掛渡って前記格納架の上面に取付け可能であると共に前記ボックス本体の前面に取付け可能であることを特徴とする電子機器の格納架。
【発明の詳細な説明】
【技術分野】
【０００１】
本発明は無線通信システム等に於ける電子機器の格納架、特に床設置型の電子機器の格納架に関するものである。
【背景技術】
【０００２】
無線通信システム等に於ける電子機器では、格納架機能毎にユニット化された無線機器ユニットが格納された構成となっている。
【０００３】
又、前記電子機器は、所要のコネクタが実装され、該コネクタを介して外部機器或は電源と内部の無線機器ユニットとを接続する為の配電盤を具備している。
【０００４】
図７〜図１０に於いて、従来の電子機器の格納架１を説明する。
【０００５】
図中、２は架フレームを示し、該架フレーム２は台座３を介して床４に設置される。前記架フレーム２には無線機器ユニット５が格納され、又前記架フレーム２の背面下部には配電盤６が設けられている。該配電盤６には信号ケーブル用コネクタ７、電源ケーブル用コネクタ８等、所要のコネクタが実装され、前記信号ケーブル用コネクタ７、前記電源ケーブル用コネクタ８には内部信号ケーブル９、内部電源ケーブル１０が接続され、又外部信号ケーブル１１、外部電源ケーブル１２が接続され、前記内部信号ケーブル９、前記内部電源ケーブル１０と前記外部信号ケーブル１１、前記外部電源ケーブル１２とは、前記信号ケーブル用コネクタ７、前記電源ケーブル用コネクタ８によって継断可能となっている。
【０００６】
尚、前記格納架１を設置する場合、予め前記内部信号ケーブル９、前記内部電源ケーブル１０と前記配電盤６の前記信号ケーブル用コネクタ７、前記電源ケーブル用コネクタ８等とは配線が済まされた状態となっている。又、図中、１３は格納架１をクレーン等で吊上げる場合に使用されるアイボルトを示している。
【０００７】
斯かる電子機器は、大型で床設置式のものが多く、又設置場所は局舎、移動シェルタ、船室等様々であるが、一般的に設置場所は狭く充分なスペースが確保できないことが多い。
【０００８】
例えば、図８に見られる様に、前記格納架１が壁面１４に沿って設置される場合、該格納架１を設置した後では、該格納架１と前記壁面１４間の作業スペースが充分でなく、前記配電盤６と前記外部信号ケーブル１１、前記外部電源ケーブル１２との接続が難しい。又、前記格納架１の背面に、ケーブル配線用の空間が必要となり、設置スペースが大きくなる。
【０００９】
予め前記外部信号ケーブル１１、前記外部電源ケーブル１２を前記配電盤６に接続して設置する場合、設置する際に前記外部信号ケーブル１１、前記外部電源ケーブル１２を前記壁面１４に押付ける等して過度の外力が加わり前記外部信号ケーブル１１、前記外部電源ケーブル１２を損傷する虞れがある。
【００１０】
図１１〜図１３は、他の従来の電子機器の格納架を示している。尚、図１１〜図１３中、図７〜図１０中で示したものと同等のものには同符号を付してある。
【００１１】
前記他の従来例は、配電ボックス１５を前記格納架１の上面に取付け、該配電ボックス１５の前面に前記配電盤６が設けられる場合である。
【００１２】
該他の従来例では、前記格納架１の背面からケーブル類を接続しないので、該格納架１にケーブル配線用の空間、保守作業用の空間を設ける必要がなく、設置スペースが少なくて済み、又ケーブルの接続作業は前記格納架１の前面から実施でき作業性がよいという利点がある。
【００１３】
然し乍ら、前記配電ボックス１５が突起物となって該配電ボックス１５の分だけ前記格納架１が高くなり、搬入口等の高さ制限が生じる。又、前記配電ボックス１５を取付けた状態で前記アイボルト１３にロープを玉掛けして前記格納架１を吊上げる場合、ロープと前記配電ボックス１５が干渉するので、前記配電ボックス１５を取付けた状態では、吊下げて移動させることができない。
【００１４】
更に、前記配電ボックス１５を分解し、現地でケーブルの接続、該配電ボックス１５の組立等を行うと、かえって作業性が悪くなる。又、現地でのケーブルの接続作業は、品質の信頼性が低下する等の問題があった。
【発明の開示】
【発明が解決しようとする課題】
【００１５】
本発明は斯かる実情に鑑み、据付けスペースが少なく、搬入、設置、保守性に優れ、而も品質の信頼性を向上させようとするものである。
【課題を解決するための手段】
【００１６】
本発明は、配電盤を有し、該配電盤を介して内部ケーブルと外部ケーブルとを接続可能な電子機器の格納架に於いて、該格納架の上面にケーブル通し孔が設けられ、該ケーブル通し孔を覆う様にボックス本体が取付け可能であり、該ボックス本体は底面と前面が開放され、前記配電盤は前記ケーブル通し孔に掛渡って前記格納架の上面に取付け可能であると共に前記ボックス本体の前面に取付け可能である電子機器の格納架に係るものである。
【発明の効果】
【００１７】
本発明によれば、配電盤を有し、該配電盤を介して内部ケーブルと外部ケーブルとを接続可能な電子機器の格納架に於いて、該格納架の上面にケーブル通し孔が設けられ、該ケーブル通し孔を覆う様にボックス本体が取付け可能であり、該ボックス本体は底面と前面が開放され、前記配電盤は前記ケーブル通し孔に掛渡って前記格納架の上面に取付け可能であると共に前記ボックス本体の前面に取付け可能であるので、前記外部ケーブルを電子機器の格納架前面から配線でき、電子機器の格納架の背面に空間が必要なく設置スペースが少なくて済み配線作業性がよく、又搬入時には前記内部ケーブルが接続された前記配電盤を前記格納架の上面に取付けることで搬入口の高さ制限を受けず、又前記配電盤と前記内部ケーブルとを事前に接続しておけるので、接続作業性がよく又工場での接続作業が行えるので、品質が安定する等の優れた効果を発揮する。
【発明を実施するための最良の形態】
【００１８】
以下、図面を参照しつつ本発明を実施する為の最良の形態を説明する。
【００１９】
図１〜図３は据付け完了状態を示し、図４〜図６は搬入状態を示している。
【００２０】
尚、図１〜図６中、図７〜図１３中で示したものと同等のものには同符号を付してある。
【００２１】
格納架１の上面に配電ボックス１５が取付けられる様になっており、該配電ボックス１５はボックス本体１７と該ボックス本体１７の前面に着脱可能な配電盤６によって構成されている。
【００２２】
前記ボックス本体１７は左右両側面、背面、上面の４面で形成され、前面及び底面は開放された構造となっており、前記配電盤６は前記ボックス本体１７の前面を閉塞する様に取付けられ、前記配電盤６の取付けはボルト等の固着具によって前記ボックス本体１７に対して着脱可能となっている。
【００２３】
前記格納架１の天板１８には、前記ボックス本体１７の平面外形より小さいケーブル通し孔１９が穿設されており、前記ボックス本体１７は前記ケーブル通し孔１９を覆う様に前記天板１８に取付けられる様になっている。又、前記ボックス本体１７の取付けはボルト等の固着具より前記天板１８に対して着脱可能となっている。
【００２４】
前記配電盤６は前記ボックス本体１７の前面に取付け可能であると共に前記天板１８に前記ケーブル通し孔１９を掛渡って取付け可能であり、前記配電盤６の前記ボックス本体１７への取付けと、前記天板１８への取付けは同一の固着具により行われる様になっており、例えば固着具がボルト２１である場合は、前記ボックス本体１７の配電盤６取付け螺子位置と前記天板１８の前記配電盤６取付け螺子位置とが同一となっている。
【００２５】
以下、格納架１の設置作業について説明する。
【００２６】
工場作業で、内部信号ケーブル９、内部電源ケーブル１０に信号ケーブル用コネクタ７、電源ケーブル用コネクタ８等を接続し、該信号ケーブル用コネクタ７、該電源ケーブル用コネクタ８等を前記ケーブル通し孔１９に通して前記配電盤６に取付ける。コネクタ類が取付けられた前記配電盤６を前記天板１８に取付ける。前記内部信号ケーブル９、前記内部電源ケーブル１０等のケーブル類は前記配電盤６を引出せる様に長さに余裕を持たせておく。又、前記無線機器ユニット５を前記架フレーム２に格納する。
【００２７】
該架フレーム２、前記配電盤６が前記格納架１に取付けられた状態で、該格納架１を所要の手段で、搬送する。例えば、前記アイボルト１３にロープを玉掛けし、クレーン等で吊上げ移送、搬入する。前記配電盤６を取付けた状態では、前記天板１８と前記配電盤６とは略平坦であり、搬入口等の高さの制約を受けない。又、玉掛けに前記配電ボックス１５が干渉することもない。
【００２８】
前記格納架１が所定位置に設置されると、前記配電盤６を外して前面側に引出す。前記ボックス本体１７を前記天板１８に取付け、更に前記ボックス本体１７の前面に前記配電盤６を取付ける。該配電盤６を前記ボックス本体１７を取付けることで、前記配電ボックス１５の組立、前記格納架１への取付けが完了する。
【００２９】
前記配電ボックス１５に対して外部信号ケーブル１１、外部電源ケーブル１２の配線接続を行う。配線作業は、前記格納架１の前面から行うので作業性がよい。又、コネクタとケーブル類の接続は工場で実施できるので品質が安定しており、信頼性が高い。
【図面の簡単な説明】
【００３０】
【図１】本発明の実施の形態に於ける電子機器の格納架の据付け状態での正面図である。
【図２】同前電子機器の格納架の据付け状態での側面図である。
【図３】同前電子機器の格納架の据付け状態での平面図である。
【図４】本発明の実施の形態に於ける電子機器の格納架の搬送状態での正面図である。
【図５】同前電子機器の格納架の搬送状態での側面図である。
【図６】同前電子機器の格納架の搬送状態での平面図である。
【図７】従来の電子機器の格納架の据付け状態での正面図である。
【図８】従来の電子機器の格納架の据付け状態での側面図である。
【図９】従来の電子機器の格納架の据付け状態での背面図である。
【図１０】従来の電子機器の格納架の据付け状態での平面図である。
【図１１】他の従来例の電子機器の格納架の据付け状態での正面図である。
【図１２】他の従来例の電子機器の格納架の据付け状態での側面図である。
【図１３】他の従来例の電子機器の格納架の据付け状態での平面図である。
【符号の説明】
【００３１】
１              格納架
２              架フレーム
３              台座
４              床
５              無線機器ユニット
６              配電盤
７              信号ケーブル用コネクタ
８              電源ケーブル用コネクタ
９              内部信号ケーブル
１０            内部電源ケーブル
１１            外部信号ケーブル
１２            外部電源ケーブル
１３            アイボルト
１５            配電ボックス
１７            ボックス本体
１８            天板
２１            ボルト
【図１】
2006237536.tif 000003
【図２】
2006237536.tif 000004
【図３】
2006237536.tif 000005
【図４】
2006237536.tif 000006
【図５】
2006237536.tif 000007
【図６】
2006237536.tif 000008
【図７】
2006237536.tif 000009
【図８】
2006237536.tif 000010
【図９】
2006237536.tif 000011
【図１０】
2006237536.tif 000012
【図１１】
2006237536.tif 000013
【図１２】
2006237536.tif 000014
【図１３】
2006237536.tif 000015